(57)【要約】本発明は、温度調節キャビネット、特に点滴、ブランケットなどの医療製品を予熱するための加熱キャビネットであって、底壁、上壁、底壁を上壁と接続している後壁ならびにハウジング内部の複数の仕切り部分を形成するための、その両側に対して垂直に延びている両側壁を含んでいるハウジングと、ハウジングの内部空間を流れる空気流を作るための温度調節装置とを備えており、従って仕切り部分内で支承される医療製品に所定の温度が加えられており、上壁がハウジング状のカバーモジュールとして構成されており、このカバーモジュール内で、温度調節装置と操作装置が配置されていること、および、カバーモジュールが、後壁におよび／または側壁におよび／または両側壁を接続している横桁部材に着脱可能に固定されている温度調節キャビネットに関する。
2016529950.tif 000002
【特許請求の範囲】
【請求項１】
温度調節キャビネット、特に点滴、ブランケットなどの医療製品を予熱するための加熱キャビネットであって、
底壁、上壁、底壁を上壁と接続している後壁ならびにハウジング内部の複数の仕切り部分を形成するための、その両側に対して垂直延びている直立の両側壁を含んでいるハウジングと、
ハウジングの内部空間を流れる空気流を作るための温度調節装置とを備えており、従って仕切り部分内で貯蔵される医療製品に所定の温度が加えられている温度調節キャビネットにおいて、
上壁がハウジング状のカバーモジュール（１１）として構成されており、このカバーモジュール内で、温度調節装置（１５）と操作装置（１４）が配置されていること、
および、カバーモジュール（１１）が、後壁（７）におよび／または側壁（９）におよび／または両側壁（９）を接続している横桁部材（３４）に着脱可能に固定されていることを特徴とする温度調節キャビネット。
【請求項２】
カバーモジュール（１１）が、前側の幅の狭い側（１６’）に表示装置（１８）を備えており、この表示装置に後方の方向に電気制御回路（１９）が接続されていることを特徴とする請求項１に記載の温度調節キャビネット。
【請求項３】
カバーモジュール（１１）が、ハウジング（２）の内部空間（３）に面した側に底壁（１２）を備えており、この底壁が前側の領域に給気口（２１）を備え、後方の領域に排気口（２６）を備えていること、
およびカバーモジュール（１１）は、温度調節装置（１５）および／または操作装置（１４）の部材が、底壁（１２）と上壁（１３）の間に置かれるような間隔（ｂ）をおいて、底壁（１２）に対して平行に延びている上壁（１３）を備えていることを特徴とする請求項１または２に記載の温度調節キャビネット。
【請求項４】
温度調節装置（１５）が給気口（２１）と排気口（２６）の間の領域において、温度調節機器（２０）と上面（Ｄ）内で接続している送風機（２３）を備えていることを特徴とする請求項１〜３のいずれか一つに記載の温度調節キャビネット。
【請求項５】
排気口（２６）には垂直方向で下方に整向された状態で後方の空気管路（６）が接続しており、この空気管路は内部空間（３）に面した前側に、仕切り部分により割当てられた幾つかの開口部（１０）を有する前側の管路壁（８）を備えており、
これらの開口部を通って、空気流（Ｌ）が仕切り部分の後側からおよび／または下側から各仕切り部分（４）に供給されることを特徴とする請求項１〜４のいずれか一つに記載の温度調節キャビネット。
【請求項６】
開口部（１０）が、各仕切り部分（４）の棚（４’）の下方に配置されている水平平面内で延びていること、
および各仕切り部分（４）の棚（４’）が、空気流（Ｌ）を各仕切り部分（４）内に下方から通過せるために孔を備えていることを特徴とする請求項５に記載の温度調節キャビネット。
【請求項７】
空気管路（６）が開口部（１０）の方向に空気流（Ｌ）を方向転換させるために案内要素を備えていることを特徴とする請求項５または６に記載の温度調節キャビネット。
【請求項８】
温度調節装置（１５）に空気流（Ｌ）を供給するために、給気口（２１）に水平方向の空気管路（２８）が接続していること、
水平方向の空気管路（２８）が、カバーモジュール（１１）の前側に面した側に開口部（２９）を備えていること、
およびカバーモジュール（１１）の前側の狭い側（１６’）が、冷却空気流（Ｋ）を形成するために開口部（３０）を備えており、この冷却空気流が、空気管路（２８）の開口部（２９）の領域において形成される負圧により、制御装置（１９）を冷却するために形成されていることを特徴とする請求項１〜７のいずれか一つに記載の温度調節キャビネット。
【請求項９】
カバーモジュール（１１）の後方の領域に、取っ手（３１）とケーブルを固定するための固定溝（３３）を備えた止め具（３２）が設けられていることを特徴とする請求項１〜８のいずれか一つに記載の温度調節キャビネット。
【請求項１０】
側壁（９）と後壁（７）が一体的に互いに接続されており、後壁の直立した組立位置で、後壁（７）に対して側壁（９）を旋回させるためにヒンジが形成されていることを特徴とする請求項１〜９のいずれか一つに記載の温度調節キャビネット。
【発明の詳細な説明】
【技術分野】
【０００１】
本発明は、温度調節キャビネット、特に点滴、ブランケットなどの医療製品を予熱するための加熱キャビネットであって、底壁、上壁、底壁を上壁と接続している後壁ならびにハウジング内部の複数の仕切り部分を形成するための、その両側に対して延びている直立の両側壁を含んでいるハウジングと、ハウジングの内部空間を流れる空気流を作るための温度調節装置とを備えており、従って仕切り部分内で貯蔵される医療製品に所定の温度が加えられている温度調節キャビネットに関する。
【背景技術】
【０００２】
特許文献１からは、例えば点滴、ブランケットなどの医療製品のための温度調節キャビネットが知られており、この温度調節キャビネットはハウジングから成り、このハウジング内には、医療製品を収容するための、引出しとして形成された複数の仕切り部分が移動可能に置かれている。医療製品を温度調節するために、電気温度調節装置が空気管路の内部に設けられており、この空気管路はハウジングの後方の空間内で垂直に延びている。空気管路は上側と下側の端部に各々空気通路を備えており、従って温度調節された空気は、送風機を用いて下方から仕切り部分に供給されることができる。仕切り部分の棚は穿孔されて形成されているので空気の循環が生じる。公知の温度調節キャビネットでは、医療製品が均一に温度調節されないという短所がある。その理由は、下側の仕切り部分には何よりもまず温度調節された空気流が当てられるが、上側の仕切り部分には、別の仕切り部分をすでに貫流した空気流だけが当てられることにある。更なる短所は、修理目的のために温度調節装置に作業を行うことが比較的手間がかかることにある。その理由はハウジングを分離しなければならないことにある。
【先行技術文献】
【特許文献】
【０００３】
【特許文献１】独国実用新案登録第２０００２７７０号明細書
【発明の概要】
【発明が解決しようとする課題】
【０００４】
従って本発明の課題は、温度調節キャビネットがコンパクトな構造を備えており、かつ内部空間に配置された医療製品の効果的な温度調節を可能にし、かつ特に温度調節キャビネットの組立あるいは温度調節装置の構成要素の互換性が簡素化されるように、温度調節ユニットを有する温度調節キャビネットをさらに開発することである。
【課題を解決するための手段】
【０００５】
この課題を解決するために、請求項１の上位概念と併せた本発明は、上壁がハウジング状のカバーモジュールとして構成されており、このカバーモジュール内に、温度調節装置と操作装置が配置されていること、
およびカバーモジュールが後壁におよび／または側壁におよび／または両側壁を接続している横桁部材に着脱可能に固定されていることを特徴とする。
【０００６】
共通のカバーモジュール内で温度調節装置と操作装置の一体化された配設により、温度調節キャビネットの電気部材の改善された部材への手の届きやすさが保証されている。例えば修理目的で交換するために、温度調節装置あるいは操作装置の電気部材は、電気部材への直接のおよび迅速な手の届きやすさを可能にする共通の構造ユニット内にある。加えて、電気部材はすべてコンパクトなカバーモジュール内に用意され、かつ温度調節装置の他の機械部材と接続されることができるので組立は簡素化される。
【０００７】
本発明の好ましい実施形態において、カバーモジュールは前側に表示装置を備えており、この表示装置から背面で電気制御回路が接続している。この電気制御回路は操作装置および／または温度調節装置の構成要素である。電気制御回路は場所をとらずかつコンパクトに構成されることができるのが有利である。
【０００８】
本発明の別の形態によれば、カバーモジュールは底壁を備えており、この底壁は前側の領域に給気口を備え、後方の領域に排気口を備えている。電気部材がすべてハウジングの内部空間の上方に配置されていることにより、温度調節キャビネットは比較的小さい構造深さを備えている。
【０００９】
本発明の別の形態によれば、カバーモジュールの後方の排気口に空気管路が接続されており、この空気管路は垂直方向で温度調節キャビネットの底壁の領域内まで延びている。この空気管路は前側に各々仕切り部分に割当てられた開口部を備えており、従ってカバーモジュールから供給される温度調節された空気は、空気管路を介して直接あるいは同時に各仕切り部分あるいは仕切り部分に位置決めされた医療製品に提供されることができる。これにより、仕切り部分に配置された医療製品全ての均一な加熱が保証される。
【００１０】
本発明の別の形態によれば、空気管路の前側の開口部は、仕切り部分の棚の下方で水平方向に延びており、従って空気流は下方から棚を通って各々の温度調節されるべき医療製品まで流れる。
【００１１】
本発明の別の形態によれば、空気管路を通って送風機により空気が下方に配置された引出しから吸引される空気管路の一つの壁部には、開口部が設けられており、従って空気は周囲から吸引されることができる。冷却空気流が形成され、この冷却空気流はカバーモジュールの前側から到来して冷却すべき制御装置に沿って吹き渡り、従って制御装置を冷却する。従って、温度調節キャビネット内部の空気を循環させるために設けられた送風機は、このようにして形成されたバイパス管路を介して制御装置を冷却するために使用されることができるのが有利である。
【００１２】
本発明の別の形態によれば、温度調節キャビネットの後方の領域では、固定溝が止め具に設けられており、従って使い易い方法でケーブルが形状嵌合により取付けられることができる。
【００１３】
本発明の別の形態によれば、後壁は少なくとも一つの側壁と一体的に接続されており、ヒンジが後壁に対して側壁を旋回させるために形成されている。例えばヒンジが材料の肉厚を薄くすることにより形成されていてもよく、斜めにされた材料面は、組立位置において、側壁が常に後壁に対して垂直に延びることを保障する。従って温度調節キャビネットの組立は、その他に必要な固定手段が無くとも簡素化されることができる。本発明の別の長所は別の従属請求項から明らかである。
【００１４】
本発明の実施例は以下に図に基づき詳しく説明されている。
【図面の簡単な説明】
【００１５】
【図１】温度調節キャビネットの斜視図を示す。
【図２】側壁と引出しを省略した状態の下での、組立てられた状態の下からの温度調節キャビネットのカバーモジュールの斜視図を示す。
【図３】温度調節キャビネットの垂直断面図を示す。
【図４】下からのカバーモジュールの図を示す。
【図５】組立位置と非組立位置における温度調節キャビネットの後壁と側壁の概略平面図を示す。
【図６】描かれた空気管路（主管路）とバイパス管路を備えたカバーモジュールの概略側面図を示す。
【図７】ハンドルの領域内での温度調節キャビネットの概略背面図を示す。
【発明を実施するための形態】
【００１６】
温度調節キャビネット１は、例えば点滴、テーブルクロス等のような同じに保存された医療製品を冷却および／または加熱するために使用されることができる。本実施例において、温度調節キャビネット１は加熱キャビネットとして構成されており、この加熱キャビネットにおいて、医療製品は設定温度まで加熱され、かつ調節される。加熱キャビネット１は内部空間３を備えたハウジング２を備えており、このハウジングには、医療製品５を収容するために複数の仕切り部分４が設けられている。本実施例において、仕切り部分４は引出しとして構成されており、これらの引出しは一般的に水平方向に移動可能に開口位置と閉鎖位置の間に置かれている。引出し４は各々棚４’を備えており、この棚の上には医療製品５が置かれている。この棚４’は複数の孔を備えており、従って空気流Ｌは下から引出し４内に達することができるが、空気流Ｌはこの棚４’に配置された医療製品５の周囲を流れる。
【００１７】
加熱キャビネット１は後方領域において、垂直に延びる空気管路６を備えており、この空気管路を用いて、温度調節された空気流Ｌは、ハウジング２の上側領域からハウジングの下側領域へと案内される。後方の空気管路６は、ハウジング２の後壁７に接続しており、かつ間隔ａをおいて後壁７まで延びている前側の管路壁８を備えている。後方の空気管路６の狭い側は、互いに向かい合ったネジ棒により形成され、これらのネジ棒はハウジング２の後壁７に固定されている。従って両ネジ棒は各々、一方では後壁７に他方では前側の管路壁８に当接しており、かつハウジング２の上側領域から下側領域まで一貫して延びている。引出し４の各棚４’の下方に延びている水平平面の領域にだけ、前側の管路壁８は開口部１０を備えており、この開口部を通って空気流Ｌの一部は各引出し４の方向に案内される。この目的で、前側の管路壁８は後壁７面した側に対応する案内板を備えており、この案内板は開口部１０の下側の縁部からある角度で延びている。
【００１８】
従って後方の空気管路６は、実質的に後壁７、前側の管路壁８ならびに直立した重り棒状体により区画されている。後方の空気管路６は、実質的に垂直方向に延びている。空気管路の太さａは、医療製品５の温度調節に必要な空気流量により決定される。空気管路６の太さは比較的小さく、従って医療製品５の十分な温度調節が保証されている。
【００１９】
側壁９と後壁７の上方には、前記壁から除去可能かあるいは着脱可能なカバーモジュール１１が設けられており、このカバーモジュールはいわば上壁として使用される。カバーモジュール１１は、例えばネジ締めにより対向している側壁９の間に固定された横桁部材および／または後壁７の間に接続されていてもよい。横桁部材は側壁９の内側に固定されていてもよくかつ側壁に対して垂直に延びている。
【００２０】
カバーモジュール１１は、広い底壁１２を備えており、この底壁は内部空間３を上方に向けて閉鎖している。底壁１２に対して間隔ｂをおいて上壁１３が延びており、間隔ｂは操作装置１４および／または温度調節装置１５の寸法に依存している。底壁１２と上壁１３は、対応する狭壁１６を介して互いに接続されており、前側の狭壁１６’は操作枠部材として形成されている。この狭壁１６’は押しボタン１７あるいは表示装置１８のような入出力手段を備えており、この入出力手段には例えば内部空間３の所定の温度（実際温度および／または公称温度）が表示される。カバーモジュール１１は構造ユニットを形成しており、この構造ユニットには操作装置１４と温度調節装置１５が配置されている。
【００２１】
操作装置１４は操作枠縁１６’あるいは表示装置１８の他に電気制御回路（制御装置）１９を備えており、この電気制御回路は後方の方向で表示装置１８に直接接続している。カバーモジュール１１の内部空間の前側の領域には、特に温度調節装置１５のための電子制御回路も設けられていてもよく、この電子制御回路により、温度調節機器あるいは加熱装置２０が制御されるかあるいは調節される。制御装置１９あるいは電子回路は、表示装置１８と加熱装置２０の間の領域にある。この領域において、カバーモジュール１１の底壁１２は給気口２１のための開口部を備えており、従って空気流Ｌは引出し４から到来してカバーモジュール１１内に流入することができる。給気口２１の領域内に配置されたフィルタ２２により、汚れ粒子は除外され、従って浄化された空気流Ｌはカバーモジュール１１内で隣接した加熱装置２０の方向に方向転換されることができる。加熱装置２０は電気で運転され、かつ比較的大きな表面セグメントを有する熱交換機を備えており、従って比較的大きな熱量が傍らを通り過ぎる空気流Ｌに放射されることができる。空気流Ｌはカバーモジュール１１内でカバーモジュールの前側の領域から後方の領域内へと流れる。
【００２２】
温度調節装置１５はさらに、送風機２３を備えており、この送風機は加熱装置２０に対して空気流の下流側でカバーモジュール１１の後方の領域に配置されている。送風機２３により空気流Ｌは循環し、従って内部空間３と後方の空気管路６の間の空気の循環が保証される。内部空間３内で空気流Ｌは実質的に垂直方向で上向きに流れるが、後方の空気管路６内の空気流Ｌは実質的に垂直方向で下向きに流れる。カバーモジュール１１の内側で、空気流Ｌは水平方向に流れる。
【００２３】
送風機２３は、送風機により循環される空気が、後方の空気管路６の上側端部の方向にカバーモジュール１１の排気口２６を通って案内されるように整向されているのが好ましい。従って空気は空気管路６内に案内され、そこから空気は前側の引出し４の方向に分配されることができる。
【００２４】
ハウジング２はカバーモジュール１１、後壁７および側壁９に加えてハウジング２の下縁部を形成する底壁２４を備えている。底壁２４には普通一般にローラー２５が取付けられており、従って温度調節キャビネット１は可動に配置されている。
【００２５】
カバーモジュール１１は、底壁２４に対して平行にあるいは後壁７に対して垂直にあるいは空気管路６に対して垂直に延びている上面Ｄ内に延在している。上面Ｄは水平方向に延在しているのが好ましい。
【００２６】
カバーモジュール１１において、給気口２１と送風機２３の間の領域内には水平方向の空気管路２８が形成されており、従って温度調節キャビネット１の垂直な後方の空気管路６と内部空間３の間の空気循環が保証されている。図６による本発明の実施形態によれば、カバーモジュール１１の空気管路２８は、カバーモジュールの前側１６’に面した側に開口部２９を備えていてもよい。カバーモジュール１１の前側１６’あるいは操作枠縁１６は、同様に開口部３０を備えており、従って開口部２９の領域内に形成された負圧により、冷却空気流Ｋが周囲環境から吸入され、この冷却空気流は制御装置１９の表面に沿って吹き渡り、次いで開口部２９を通って水平方向の空気管路２８内に入る。冷却空気流Ｋにより制御装置１９を環流させることにより、付加的な冷却ファンを設ける必要もなく制御装置の冷却が行われる。従ってバイパス管路が形成されることができ、このバイパス管路は制御装置１９の平坦面とカバーモジュール１１の底壁１２により限定されている。
【００２７】
温度調節キャビネット１は上側の領域の後側に、端部側で止め具３２により区画されている取っ手３１を備えている。取っ手３１ならびに取っ手３１の両端部に接続されている止め具３２はカバーモジュール１１の縁部を形成している。止め具３２から突出し、カバーモジュール１１の延在平面の方向に下側および／または側方に突出するように、幾つかの固定溝３３が設けられていてもよく、従ってケーブルは温度調節キャビネット１に形状嵌合により保持されている。
【００２８】
後壁７は両側壁９と形状一体的に接続されている。
【００２９】
一方では後壁７の向き合った縁部と他方では両側壁９が、材料の肉厚を薄くすることによりヒンジが形成されるように互いに接続されており、このヒンジを用いて両側壁９は組立てられていない位置（図５の実線）から、後壁７に対して垂直に延びている組立位置（図５の一点鎖線）にもたらされることができる。この組立位置において、対向する直立した両側壁９は横桁部材３４を介して互いに接続されている。横桁部材３４は側壁の前側縁部において側壁９に対して垂直に延びている。横桁部材３４は例えばネジ締めにより側壁９に固定されている。
【００３０】
カバーモジュール１１は着脱可能にかつ後壁７と横桁部材３４の上方でこれらと接続されている。
【００３１】
本発明の図示されてはいない代替え的実施形態によれば、開口部は空気管路６内において、空気流Ｌが棚４を通って下方からも、直立した側からも引出しを貫流するようにも形成されていてもよい。この実施形態において、棚４’からは、対応するスリットが設けられている直立した側壁が延びている。両側壁は棚と不動に接続されており、かつ本実施形態の場合のように、延在方向に移動可能に置かれている。
【図１】
2016529950.tif 000003
【図２】
2016529950.tif 000004
【図３】
2016529950.tif 000005
【図４】
2016529950.tif 000006
【図５】
2016529950.tif 000007
【図６】
2016529950.tif 000008
【図７】
2016529950.tif 000009
【国際調査報告】
2016529950.tif 000010
2016529950.tif 000011
2016529950.tif 000012
2016529950.tif 000013
2016529950.tif 000014
2016529950.tif 000015